(57)【特許請求の範囲】
【請求項１】
支持フレームと、支持板と、木材部とを有し、
前記支持板は前記支持フレームの一方面側に突出するよう前記支持フレームに設けられ、
前記木材部は、複数の細長い木材を貫通する長ボルトにより並列に連結して成り、前記支持フレームの一方面側に沿うよう前記支持板に着脱可能に取り付けられている木材パネルであって、
前記長ボルトは一端が前記木材から突出しており、
前記支持板は下側支持板と上側支持板とから成り、前記下側支持板は前記長ボルトの一端が挿入される孔を有して前記木材部を支持し、前記上側支持板は突出側の端部に前記長ボルトを保持する溝を有し、
前記上側支持板に回転可能に取り付けられて前記溝に保持された長ボルトに着脱可能に係合する係合片を有することを、
特徴とする木材パネル。
【請求項２】
支持フレームと、支持板と、木材部とを有し、
前記支持板は前記支持フレームの一方面側に突出するよう前記支持フレームに設けられ、
前記木材部は、複数の細長い木材を貫通する長ボルトにより並列に連結して成り、前記支持フレームの一方面側に沿うよう前記支持板に着脱可能に取り付けられている木材パネルであって、
前記木材部は固定プレートを有し、前記固定プレートは前記長ボルトにより貫通されて前記木材の間に取り付けられ、前記木材の間から突出して前記木材の一端側に伸びる１対の係合突起を有し、
前記支持板は下側支持板と上側支持板とから成り、前記下側支持板および前記上側支持板は前記係合突起が挿入される孔を有して前記木材部を支持することを、
特徴とする木材パネル。
【請求項３】
土留用ネットが前記支持フレームにその内側を塞ぐよう張り付けてあることを特徴とする請求項１または２記載の木材パネル。
【請求項４】
支持フレームと、支持板と、基部と、土留用ネットと、木材部とを有し、
前記支持板は前記支持フレームの前面側に突出するよう前記支持フレームに設けられ、
前記基部は前記支持フレームの背面側に伸びるよう前記支持フレームの下端に設けられて前記支持フレームを支持し、
前記土留用ネットは前記支持フレームにその内側を塞ぐよう張り付けられ、
前記木材部は、複数の細長い木材を貫通する長ボルトにより並列に連結して成り、前記支持フレームの前面側に沿うよう前記支持板に着脱可能に取り付けられている土留部材であって、
前記長ボルトは一端が前記木材から突出しており、
前記支持板は下側支持板と上側支持板とから成り、前記下側支持板は前記長ボルトの一端が挿入される孔を有して前記木材部を支持し、前記上側支持板は突出側の端部に前記長ボルトを保持する溝を有し、
前記上側支持板に回転可能に取り付けられて前記溝に保持された長ボルトに着脱可能に係合する係合片を有することを、
特徴とする土留部材。
【請求項５】
支持フレームと、支持板と、基部と、土留用ネットと、木材部とを有し、
前記支持板は前記支持フレームの前面側に突出するよう前記支持フレームに設けられ、
前記基部は前記支持フレームの背面側に伸びるよう前記支持フレームの下端に設けられて前記支持フレームを支持し、
前記土留用ネットは前記支持フレームにその内側を塞ぐよう張り付けられ、
前記木材部は、複数の細長い木材を貫通する長ボルトにより並列に連結して成り、前記支持フレームの前面側に沿うよう前記支持板に着脱可能に取り付けられている土留部材であって、
前記木材部は固定プレートを有し、前記固定プレートは前記長ボルトにより貫通されて前記木材の間に取り付けられ、前記木材の間から突出して前記木材の一端側に伸びる１対の係合突起を有し、
前記支持板は下側支持板と上側支持板とから成り、前記下側支持板および前記上側支持板は前記係合突起が挿入される孔を有して前記木材部を支持することを、
特徴とする土留部材。
【請求項６】
前記基部は前記支持フレームに対して前記支持フレームの下端を中心として回転して折り畳み可能に設けられ、
前記基部を設置面上に配置したとき前記支持フレームを立てた状態で保つよう前記基部と前記支持フレームとに連結可能なストッパを有することを、
特徴とする請求項４または５記載の土留部材。
【請求項７】
前記支持フレームは下端部材と上端部材と前記下端部材の両端を前記上端部材の両端と連結する２本の連結部材とを有し、
前記基部は、前記支持フレームの背面側に伸びるよう前記下端部材にそれぞれ一端が取り付けられた２本の脚材と、設置面上に配置したとき設置面に沿って伸びる面を有して各脚材の他端を連結するよう各他端に固定された板材とを有し、
一方の脚材は前記下端部材の中間部分に取り付けられ、前記板材は前記一方の脚材との連結部を越えて外側に突出して伸びていることを、
特徴とする請求項４，５または６記載の土留部材。
【請求項８】
前記木材部は複数の細長い丸太、板材または竹材を貫通する長ボルトにより並列に連結して成ることを特徴とする請求項４，５，６または７記載の土留部材。
【請求項９】
構造物の壁面に支持板を突出するよう固定し、複数の細長い木材を貫通する長ボルトにより並列に連結して成る木材部を、前記壁面に沿うよう前記支持板に着脱可能に取り付ける木材固定工法であって、
前記長ボルトは一端が前記木材から突出しており、
前記支持板は下側支持板と上側支持板とから成り、前記下側支持板の孔に前記長ボルトの一端を挿入して前記木材部を支持し、前記上側支持板の突出側の端部の溝で前記長ボルトを保持し、
前記上側支持板に回転可能に取り付けられた係合片を、前記溝に保持された長ボルトに着脱可能に係合させることを、
特徴とする木材固定工法。
【発明の詳細な説明】
【０００１】
【発明の属する技術分野】
本発明は、土砂等の崩壊のおそれのある法面の土留に適した木材パネル、土留部材および木材固定工法に関する。
【０００２】
【従来の技術】
従来、道路や山腹、河川の護岸等の土砂崩壊が予測される法面または崩壊した法面に施工される土留工法は、コンクリートやコンクリートブロック、または鋼製や金網製の箱型枠に玉石を投入したものが主流であり、近年においては急勾配補強盛土工法も普及している。
【０００３】
一方、近年において自然環境や景観を重視しかつ環境に配慮した土木資材や工法が開発されつつあり、自然石や木材等の天然資材を積極的に使用する手法の採用が強く要請され始めている。特に国内の森林を健全に育成させるために、間伐の推進は緊急の課題であり、間伐材を建築分野のみではなく土木資材にも積極的に活用させることは関係者の最大の懸案事項である。
【０００４】
木材を使用した法面保護工は、従来、道路法尻や治山工事等の山腹に簡易な柵工として採用されていたが、それ以外に、例えば特開平１０−１１４９５１号公報または特開２０００−８３８３号公報に記載されているように、木材単体および木材と異質材料とを組み合わせ、背面の土砂に抵抗する土留工や護岸工として使用されるケースが増加している。
【０００５】
さらに木材が腐朽しても構造物に影響を与えない景観工法も開発されつつあり、例えば特開２０００−２７３８８２号公報に記載されているように、コンクリート構造物の化粧型枠や、特開平１１−３０３０９０号公報に記載のように、金網系のカゴ枠に木材を接続し、景観上は木材を配置したように見せているものなどがある。
【０００６】
また、法面勾配が１割以下の緩斜面における法面保護工は緑化工法が主流であるが、大雨により法面（土砂）の流出が予想される箇所においてはコンクリート枠やブロック張工が施工されており、近年、間伐材の需要促進の面からこれらの代替として道路法尻に間伐材丸太を並べる景観工法が自治体から採用され始めている。
【０００７】
【発明が解決しようとする課題】
しかしながら、以上に述べた従来の木材を使用した土留および護岸工法では、木材で背面の土砂を抑えるため、木材が生物由来である以上、腐朽は免れず、腐朽時の土砂の流出対策が未解決という問題点があった。
【０００８】
木材の腐朽を防ぐため、木材に防腐薬剤を注入する方法が考えられるが、防腐薬剤の注入では耐用年数を延ばすだけであって根本的な解決策とはならず、そのうえ、水際に使用する際には、薬剤が環境に与える影響に十分留意しなければならなかった。
【０００９】
従来技術のコンクリートの化粧型枠や、構造物の表面に木材を配した工法においても、木材腐朽後の景観には配慮されておらず、木材を交換するためには再度の工事が必要となるという問題点があった。
【００１０】
従来技術の、緩斜面の法尻に木材を配した景観工法では、特に切土法面の玉石等の露出する凹凸面に丸太が密着せず、大雨時には法面との空隙や木材の腐朽部から進入した流水が雨裂を増大させ、法面土砂の流出をおこす例が多々見られるという問題点があった。
【００１１】
本発明は、このような従来の問題点に着目してなされたもので、景観上の木材が腐朽しても背面土砂が流出するのを防ぐことができ、さらに、腐朽した木材を複数本単位で容易に交換可能な木材パネルおよび土留部材を提供することを目的とする。
【００１２】
【課題を解決するための手段】
上記目的を達成するために、本発明に係る木材パネルは、支持フレームと、支持板と、木材部とを有し、前記支持板は前記支持フレームの一方面側に突出するよう前記支持フレームに設けられ、前記木材部は、複数の細長い木材を貫通する長ボルトにより並列に連結して成り、前記支持フレームの一方面側に沿うよう前記支持板に着脱可能に取り付けられていることを、特徴とする。
【００１３】
本発明に係る木材パネルは、木材部が複数の細長い木材を貫通する長ボルトにより並列に連結して成り、木材部は支持板に着脱可能に取り付けられているため、特別な工事をしなくとも、腐朽した木材を木材部ごと複数本単位で容易に交換することができる。支持フレームには、その内側を塞ぐよう土留用ネットを張り付けることができる。その場合、木材部の木材が腐朽していても、土留用ネットにより背面土砂が流出するのを防ぐことができる。なお、本明細書において、「木材」とは、長尺材と同義であり、細長い丸太や角材のような木製の棒状部材のほか、板材や竹材であってもよく、材質、断面形状を問わない。従って、本明細書において、「木材部」には、例えば、複数の細長い丸太、板材または竹材を貫通する長ボルトにより並列に連結して成るものが含まれる。支持フレームは、背面土砂に抵抗する長尺かつ細幅の剛性板から成ってもよい。
【００１４】
請求項１の本発明に係る木材パネルは、前述の本発明に係る木材パネルにおいて、前記長ボルトは一端が前記木材から突出しており、前記支持板は下側支持板と上側支持板とから成り、前記下側支持板は前記長ボルトの一端が挿入される孔を有して前記木材部を支持し、前記上側支持板は突出側の端部に前記長ボルトを保持する溝を有し、前記上側支持板に回転可能に取り付けられて前記溝に保持された長ボルトに着脱可能に係合する係合片を有することを、特徴とする。
【００１５】
請求項１の本発明に係る木材パネルは、係合片を長ボルトから外し、長ボルトを溝から外して孔から引き抜くことにより、木材部を容易に支持板から外すことができ、木材部の交換を容易に行うことができる。
【００１６】
請求項１の本発明に係る木材パネルは、木材部の木材が水平方向に伸びるよう配置されることが好ましい。この場合、支持フレームは、左右の縦柱材の一方の端部を連結材で連結して成ることが好ましい。この場合、下側支持板および上側支持板は、縦柱材より前面方向に突出するよう両端が縦柱材に固定される。下側支持板および上側支持板には、下側支持板および上側支持板より前面方向への突出距離の小さい２本以上の縦材が連結されることが好ましい。この場合、支持フレームの厚みと縦材の突出距離により、背面土砂と木材部との間に空間を与えることができ、この空間により木材が腐りにくくなり、木材の耐久性を高めるとともに、水中などでは小動物の棲息環境を提供することができる。木材部は、水平方向に伸びるよう並設した複数の木材を２本以上の長ボルトにより一体化して成ることが好ましい。
【００１７】
請求項２の本発明に係る木材パネルは、前述の本発明に係る木材パネルにおいて、前記木材部は固定プレートを有し、前記固定プレートは前記長ボルトにより貫通されて前記木材の間に取り付けられ、前記木材の間から突出して前記木材の一端側に伸びる１対の係合突起を有し、前記支持板は下側支持板と上側支持板とから成り、前記下側支持板および前記上側支持板は前記係合突起が挿入される孔を有して前記木材部を支持することを、特徴とする。
【００１８】
請求項２の本発明に係る木材パネルは、固定プレートの係合突起を下側支持板および上側支持板の孔から引き抜くことにより、木材部を容易に支持板から外すことができ、木材部の交換を容易に行うことができる。
【００１９】
請求項２の本発明に係る木材パネルは、木材部の木材が上下方向に伸びるよう配置されることが好ましい。この場合、支持フレームは、左右の縦柱材の両方の端部を連結材で連結して成ることが好ましい。この場合、下側支持板および上側支持板は、縦柱材より前面方向に突出するよう両端が縦柱材に固定される。この構成では、支持フレームの厚みと下側支持板および上側支持板の突出距離により、背面土砂と木材部との間に空間を与えることができ、この空間により木材が腐りにくくなり、木材の耐久性を高めるとともに、水中などでは小動物の棲息環境を提供することができる。支持フレームは、縦柱材に固定されて下側支持板の下方で木材部の下端を支持可能な突出板を有することが好ましい。木材部は、上下方向に伸びるよう並設した複数の木材を２本以上の長ボルトにより一体化して成ることが好ましい。
【００２０】
請求項３の本発明に係る木材パネルは、請求項１または２の木材パネルにおいて、土留用ネットが前記支持フレームにその内側を塞ぐよう張り付けてあることを特徴とする。請求項３の本発明に係る木材パネルは、木材部の木材が腐朽していても、土留用ネットにより背面土砂が流出するのを防ぐことができる。
請求項４の本発明に係る土留部材は、支持フレームと、支持板と、基部と、土留用ネットと、木材部とを有し、前記支持板は前記支持フレームの前面側に突出するよう前記支持フレームに設けられ、前記基部は前記支持フレームの背面側に伸びるよう前記支持フレームの下端に設けられて前記支持フレームを支持し、前記土留用ネットは前記支持フレームにその内側を塞ぐよう張り付けられ、前記木材部は、複数の細長い木材を貫通する長ボルトにより並列に連結して成り、前記支持フレームの前面側に沿うよう前記支持板に着脱可能に取り付けられている土留部材であって、前記長ボルトは一端が前記木材から突出しており、前記支持板は下側支持板と上側支持板とから成り、前記下側支持板は前記長ボルトの一端が挿入される孔を有して前記木材部を支持し、前記上側支持板は突出側の端部に前記長ボルトを保持する溝を有し、前記上側支持板に回転可能に取り付けられて前記溝に保持された長ボルトに着脱可能に係合する係合片を有することを、特徴とする。
請求項５の本発明に係る土留部材は、支持フレームと、支持板と、基部と、土留用ネットと、木材部とを有し、前記支持板は前記支持フレームの前面側に突出するよう前記支持フレームに設けられ、前記基部は前記支持フレームの背面側に伸びるよう前記支持フレームの下端に設けられて前記支持フレームを支持し、前記土留用ネットは前記支持フレームにその内側を塞ぐよう張り付けられ、前記木材部は、複数の細長い木材を貫通する長ボルトにより並列に連結して成り、前記支持フレームの前面側に沿うよう前記支持板に着脱可能に取り付けられている土留部材であって、前記木材部は固定プレートを有し、前記固定プレートは前記長ボルトにより貫通されて前記木材の間に取り付けられ、前記木材の間から突出して前記木材の一端側に伸びる１対の係合突起を有し、前記支持板は下側支持板と上側支持板とから成り、前記下側支持板および前記上側支持板は前記係合突起が挿入される孔を有して前記木材部を支持することを、特徴とする。
【００２２】
請求項４および５の本発明に係る土留部材は、基部を設置面上に配置し、支持板の背面側を法面に向けて設置する。請求項５の土留部材は、木材部が複数の細長い木材を貫通する長ボルトにより並列に連結して成り、木材部は支持板に着脱可能に取り付けられているため、特別な工事をしなくとも、腐朽した木材を木材部ごと複数本単位で容易に交換することができる。支持フレームには土留用ネットを張り付けられているため、木材部の木材が腐朽していても、土留用ネットにより背面土砂が流出するのを防ぐことができる。
【００２３】
請求項６の本発明に係る土留部材は、請求項４または５の土留部材において、前記基部は前記支持フレームに対して前記支持フレームの下端を中心として回転して折り畳み可能に設けられ、前記基部を設置面上に配置したとき前記支持フレームを立てた状態で保つよう前記基部と前記支持フレームとに連結可能なストッパを有することを、特徴とする。
【００２４】
請求項６の本発明に係る土留部材は、基部が支持フレームに対して折り畳み可能なため、折り畳むことにより搬送や保管の際にスペースをとらない。使用の際には、ストッパにより基部と支持フレームとを連結し、支持フレームを立てた状態で保つことができる。
【００２５】
請求項７の本発明に係る土留部材は、請求項４，５または６の土留部材において、前記支持フレームは下端部材と上端部材と前記下端部材の両端を前記上端部材の両端と連結する２本の連結部材とを有し、前記基部は、前記支持フレームの背面側に伸びるよう前記下端部材にそれぞれ一端が取り付けられた２本の脚材と、設置面上に配置したとき設置面に沿って伸びる面を有して各脚材の他端を連結するよう各他端に固定された板材とを有し、一方の脚材は前記下端部材の中間部分に取り付けられ、前記板材は前記一方の脚材との連結部を越えて外側に突出して伸びていることを、特徴とする。
【００２６】
請求項７の本発明に係る土留部材は、一方の脚材が下端部材の中間部分に取り付けられているため、複数の土留部材を隣合わせに配置して各木材部で折れ曲がった壁を形成するとき、一方の脚材は隣合う土留部材の脚材と重ならず、配置のじゃまにならない。また、板材が一方の脚材との連結部を越えて外側に突出して伸びているため、その板材の外側に伸びた部分の上に隣合う土留部材の脚材を載せることにより、土留部材の安定を図ることができる。
【００２７】
請求項８の本発明に係る土留部材は、請求項４，５，６または７の土留部材において、前記木材部は複数の細長い丸太、板材または竹材を貫通する長ボルトにより並列に連結して成ることを特徴とする。
【００２８】
前述の土留部材は、前述の木材パネルの支持フレームに左右縦柱材を設け、さらに、脚材と板材とストッパとを連結させて自立可能なフレームを形成し、そのフレームの前面および底面の空間部に強化ネットを張って構成してもよい。この場合、強化ネットは、フレームに直接、または溶接金網もしくは格子状の鉄筋類を介して接続させる。これにより、背面土砂は、フレームに緊張した強化ネットで抵抗される。
【００２９】
強化ネットは、急勾配補強盛土工法で採用される控えネットと同種のものを使用してもよい。強化ネットは、フレーム前面および底面の自由な箇所において、鉄筋またはプラスチック類の連結材を介して控えネットと連結可能とした場合には、補強盛土工法の前面枠材とすることができる。
【００３０】
複数の土留部材を連結する場合、平面状の壁を形成するときには支持フレームの縦柱材、ストッパおよび脚材の交点をボルトを介して連結することが好ましい。
【００３１】
請求項９の本発明に係る木材固定工法は、構造物の壁面に支持板を突出するよう固定し、複数の細長い木材を貫通する長ボルトにより並列に連結して成る木材部を、前記壁面に沿うよう前記支持板に着脱可能に取り付ける木材固定工法であって、前記長ボルトは一端が前記木材から突出しており、前記支持板は下側支持板と上側支持板とから成り、前記下側支持板の孔に前記長ボルトの一端を挿入して前記木材部を支持し、前記上側支持板の突出側の端部の溝で前記長ボルトを保持し、前記上側支持板に回転可能に取り付けられた係合片を、前記溝に保持された長ボルトに着脱可能に係合させることを、特徴とする。
【００３２】
本発明に係る木材固定工法は、木材部が複数の細長い木材を貫通する長ボルトにより並列に連結して成り、木材部は支持板に着脱可能に取り付けられているため、特別な工事をしなくとも、腐朽した木材を木材部ごと複数本単位で容易に交換することができる。
【００３３】
なお、支持板は、上側支持板と下側支持板とに分かれていることが好ましい。この場合、支持板の固定は、（１）上側支持板および下側支持板、（２）それらの中間部に２本以上の縦材を固定したもの、または（３）上側支持板、下側支持板および下側支持板の下方で木材部の下端を支持可能な突出板を、コンクリートアンカーまたはボルトにより、既設のコンクリート、ブロック構造物、既存技術による鋼製擁壁構造物その他の構造物の壁面に固定することにより行ってもよい。この場合、支持板に木材部を取り付けることで、景観上、木材で既存構造物を覆うことができるとともに、木材の腐朽時の脱着が可能となる。
【００３４】
さらに、既存技術におけるエキスパンドメタルまたは格子状の鉄筋類を素材とし、空間を有する補強盛土工法の前面枠および金網製箱型枠（箱枠、カゴ枠などを含む）においても、前述の支持板をボルト類を介してこれに固定することにより、景観上、木材で構成された土留壁と見せることができる。
【００３５】
また、緩斜面における凹凸法面に砕石を敷設し、この凹凸を解消し、かつ裏面に土留用ネットを張った木材パネルを設置することで、大雨時の流水による法面の雨裂と砕石の流出が防止可能であり、特に、道路法面においては雑草の刈払い手間が省け、視距確保を兼ねた景観工法となる。
【００３６】
【発明の実施の形態】
以下、図面に基づき、本発明の各種実施の形態について説明する。
図１乃至図４は、本発明の第１の実施の形態を示している。
図１乃至図３に示すように、木材部１と支持フレーム２と下側支持板２１と上側支持板２２とから、横型木材パネル３が構成される。各支持板２１，２２は、支持フレーム２の一方面側に突出するよう支持フレーム２に固定されている。木材部１は、複数の細長い木材１１を貫通する長ボルト１２により並列に連結して成る。木材部１は、支持フレーム２の一方面側に沿うよう支持板２１，２２に着脱可能に取り付けられている。
【００３７】
木材部の木材１１は、水平方向に並設してある。木材１１は、間伐材を含む木質系資材である。木材１１には、少なくとも２本以上の長ボルト１２を上下方向に貫通させてある。長ボルト１２は、一端が木材１１のうち下端の木材から突出している。長ボルト１２は、上下をナット１４で固定させてある。さらに、木材１１の間には、スペーサー１３が挟められ、空間が与えられている。
【００３８】
下側支持板２１は、山形鋼を素材とし、所定のボルト孔２７を有している。下側支持板２１は、支持フレーム２の前面方向に片面を突出させてある。上側支持板２２は、所定の溝２８および固定金具２９を有し、支持フレーム２の前面方向に片面を突出させてある。下側支持板２１および上側支持板２２の両端には、左右の縦柱材２４が連結されている。下側支持板２１および上側支持板２２には、それらより前面方向の突出距離の小さい２本以上の縦材２５ａが両端を固定されている。
【００３９】
図３および図４に示すように、木材部１と支持フレーム２との接続は、長ボルト１２の最下端を下側支持板２１のボルト孔２７に挿入し、木材部１を下側支持板２１で支持し、木材１１ａと１１ｂの間の長ボルト１２を上側支持板２２の所定の溝２８に挿入して行われる。横型木材パネル３は、さらに係合片２９を有する。係合片２９は、上側支持板２２に回転可能に取り付けられて、溝２８に保持された長ボルト１２に着脱可能に係合する。係合片２９は、中空パイプ２９ｄを介して上側支持板２２に回転が自由なように取り付けられている。係合片２９の溝部２９ａを長ボルト１２と係合させ、長ボルト１２の上部のナット１４を締めれば、木材部１と支持フレーム２との接続が完了する。なお、中空パイプ２９ｄは、係合片２９と上側支持板２２の厚さ以上の高さを有し、それぞれの所定の孔を通してボルトセット２９e ，２９f で上側支持板２２に固定してある。
【００４０】
横型木材パネル３は、木材部１が複数の細長い木材１１を貫通する長ボルト１２により並列に連結して成り、木材部１１は下側支持板２１および上側支持板２２に着脱可能に取り付けられているため、特別な工事をしなくとも、腐朽した木材１１を木材部１ごと複数本単位で容易に交換することができる。支持フレーム２には、その内側を塞ぐよう土留用ネットを張り付けることができる。その場合、木材部１の木材１１が腐朽していても、土留用ネットにより背面土砂が流出するのを防ぐことができる。
【００４１】
図５および図６は、本発明の第２の実施の形態を示している。
図５に示すように、縦型木材パネル６が、本発明の第２の実施の形態の横型木材パネル３の木材部１の設置方向を変えて成る。縦型木材パネル６の木材部４は、２枚以上の固定プレート４１を有する。各固定プレート４１は、長ボルト１２により貫通されて木材１１の間に取り付けられている。固定プレート４１は、１対の係合突起４１ａ，４１ｂを有する。１対の係合突起４１ａ，４１ｂは、木材１１の間から突出して木材１１の一端側に伸びる。
【００４２】
縦型木材パネル６は、前述の横型木材パネル２の支持フレーム２を基本構造とする支持フレーム５を有する。支持フレーム５は、山形鋼を素材とした構成である。支持フレーム５には、上側支持板２５ｂおよび下側支持板２５ｃが固定されている。支持フレーム５は、突出板２１を有する。突出板２１は、縦柱材２４に固定され、下側支持板２５ｃの下方で木材部４の下端を支持可能である。上側支持板２５ｂおよび下側支持板２５ｃは、突出板２１より前面方向の突出距離が小さい。図６に示すように、固定プレート４１の背面の係合突起４１a ，４１b は、上側支持板２５ｂおよび下側支持板２５ｃの所定のボルト孔２７に挿入されている。
【００４３】
図７は、本発明の第３の実施の形態を示している。
図７に示すように、緩斜面における法面保護工および護岸工に横型木材パネル３が設置されている。横型木材パネル３は、本発明の第１の実施の形態のものである。約１割以下で凹凸のある緩勾配の法面において施工する場合、まず、法面３０に基礎砕石３１を支持フレーム２の縦柱材２４の厚さ以上で敷設し、凹凸面を整形解消する。次に、基礎砕石３１の流出を防止する網目の小さいネット類３２を挟んで、木材パネル３を設置する。縦柱材または縦材２５ａの数カ所において、アンカー３３により支持フレーム２を固定する。これにより、木材が腐朽しても砕石の流出はなく、木材の交換が可能となる。
【００４４】
上部法面からの流水や木材パネル３の裏面の湧水により、土砂の細粒分の流出が予想される場合には、基礎砕石３１の厚さを約２０ｃｍとし、法面３０と基礎砕石との間にフィルター３４を敷設して土砂の流出を防止する。また、木材パネル３の安定性を図るため、基礎工３５を実施することが望ましい。
【００４５】
この工法により、従来の法面保護張工におけるコンクリ−トを木材に代替えすることが可能となり、木材の設置のみでは不完全であった凹凸法面における木材の使用が可能となる。また、この工法と別種緑化工法の組合せにより、より景観に配慮した法面保護工とすることができる。
【００４６】
図８は、本発明の第４の実施の形態を示している。
図８に示すように、本発明の第４の実施の形態の木材固定工法では、既存の法面構造物を景観上、木材に変えることができる。
【００４７】
図８に示すように、コンクリート擁壁３６の所定の位置に、山形鋼を素材とする下側支持板２１および上側支持板２２を、コンクリートアンカーまたはコンクリート用くぎ等３７を用いて固定する。下側支持板２１および上側支持板２２の間隔に合わせた所定の本数の木材を有する木材部１を準備する。その木材部１を長ボルト１２により下側支持板２１および上側支持板２２に、所定の孔２７および溝２８並びに係合片２９で接続、固定する。これにより、景観上、コンクリート面を木材とすることができる。
【００４８】
図９は、本発明の第５の実施の形態を示している。
図９に示すように、本発明の第５の実施の形態の木材固定工法では、既存の鋼製擁壁構造物を景観上、木材に変えることができる。
【００４９】
図９に示すように、既存技術における鋼製擁壁構造物３８の所定の位置に、山形鋼を素材とする下側支持板２１および上側支持板２２を、ボルト３９を用いて固定する。下側支持板２１および上側支持板２２の間隔に合わせた所定の本数の木材を有する木材部１を準備する。その木材部１を長ボルト１２により下側支持板２１および上側支持板２２に、所定の孔２７および溝２８並びに係合片２９で接続、固定する。これにより、景観上、鋼製擁壁面を木材とすることができる。
【００５０】
図１０は、本発明の第６の実施の形態を示している。
図１０に示すように、本発明の第６の実施の形態の木材固定工法では、既存の補強盛土工法の支持フレーム（前面枠体）４０を景観上、木材に変えることができる。
【００５１】
支持フレーム４０は、一例では、高さ約５０cm前後である。既存技術における支持フレーム４０の所定の位置に、山形鋼を素材とする下側支持板２１および上側支持板２２を、ボルト３９および裏面材２０を用いて固定する。下側支持板２１および上側支持板２２の間隔に合わせた所定の本数の木材を有する木材部１を準備する。その木材部１を長ボルト１２により下側支持板２１および上側支持板２２に、所定の孔２７および溝２８並びに係合片２９で接続、固定する。これにより、脱着可能な木材を使用した補強盛土工法の支持フレームとすることができる。なお、本実施の形態では、短尺の剛性板を支持板２１，２２と裏面材２０の素材として使用した例を示してある。
【００５２】
本実施の形態では、木材が水平方向に伸びる横型の木材部の例を示しているが、木材が上下方向に伸びる縦型の木材部を用いてもよい。この場合、支持板２１，２２と裏面材２０は、本実施の形態における配置から９０度回転させ、縦方向に配置する。また、本実施の形態において、木材部１の木材１１の一部を切り欠いて、木材部１に窓を形成してもよい。その窓は、植生用に利用することができる。
【００５３】
図１１は、本発明の第７の実施の形態を示している。
図１１に示すように、本発明の第７の実施の形態では、既存技術における補強盛土工法に使用される支持フレーム４０を利用している。支持フレーム４０は、複数が上下方向に配置されている。下段の支持フレーム４０に控えネット７６を接続した後、支持フレーム４０の背面側を埋戻し、埋戻した土砂７５の転圧後に、上段支持フレーム４０を施工する。
【００５４】
本発明の第４、５、６または７の実施の形態で用いる木材部は、下側支持板２１および上側支持板２２の間隔に合わせて木材１１の本数や径を決定しても、逆に、木材部の高さに合わせて下側支持板２１および上側支持板２２の間隔を決定してもよい。また、下側支持板２１および上側支持板２２より前面方向の突出距離の小さい２本以上の縦材２５ａを使用し、構造物３６，３８，４０の壁面と木材部１との間に空間を与えてもよい。なお、下側支持板２１および上側支持板２２が固定可能な構造物であれば、コンクリートおよび既存技術における鋼製擁壁構造物並びに補強盛土工法に使用される支持フレーム（前面枠体）など、適用される構造物は限定されるものではない。いずれにしても、腐朽時に容易に交換可能な木材部が既存構造物に形成することができる。
【００５５】
さらに、木材部の重量を支持可能であれば、下側支持板２１および上側支持板２２は、長尺の必要性はなく、図１０に示すように、所定の孔２７および溝２８並びに係合片２９を有する短尺の剛性板でもよい。
【００５６】
本発明の第４、５、６または７の実施の形態では、木材パネルをコンクリートを始めとする平面を有する構造物に設置することで、景観上、木材を素材とする構造物に見せる効果があり、また、木材の腐朽時には木材を複数本単位で容易に交換することができる。特に、第６の実施の形態に示すように、近年急速に普及しているエキスパンドメタルなどの補強盛土工法の支持フレームに木材パネルを適用することで、木材と緑化を共に有する景観を提供できる効果がある。
【００５７】
図１および図１２乃至図１７は、本発明の第８の実施の形態を示している。
図１２に示すように、本発明の第８の実施の形態では、前述の横型木材パネルを使用して土留部材が構成されている。支持フレーム２には、平鋼を素材とするストッパ７１と山形鋼を素材とする脚材７２とがボルトにより連結してある。さらに、左右の脚材７２を平鋼を素材とする板材７３にて連結することにより、自立可能なフレーム７ａが形成される。
【００５８】
フレーム７ａの前面部および底面部に、１枚あるいは前面部と底面部に分離した強化ネット７４を接続させて、土留フレーム７ｃが形成されている。強化ネット７４は、フレーム７ａに直接あるいは溶接金網または格子状の鉄筋類を介して接続されている。この土留フレーム前面に木材部１を取り付けることにより、脱着可能な木材パネルを使用した土留部材７が形成される。なお、本実施の形態では、木材が水平方向に伸びる横型の木材部の例を示しているが、木材が上下方向に伸びる縦型の木材部を用いてもよい。また、本実施の形態において、木材部１の木材１１の一部を切り欠いて、木材部１に窓を形成してもよい。その窓は、植生用に利用することができる。
【００５９】
強化ネット７４は、最後部一つ前の孔列に、板材７３を交互に通過させて板材７３に固定することが望ましい。図１３は、フレーム７ａに強化ネット７４を接続させた土留フレーム７ｃの斜視図を示す。図１は、図１３の土留フレーム７ｃに木材部１を取り付けたものである。
【００６０】
図１４に示す土留部材７は、フレームに緊張された強化ネット７４で背面土砂に抵抗するため、木材部１は土圧に関与しない。また、前面方向に突出させた２本以上の縦材２５ａを有するため、背面土砂７５と木材１１は直接接せず、木材の耐久性が向上してある。特に、護岸構造物に使用した際は、縦材２５ａの突出距離分の空間が水中の小動物の棲息環境を提供する。また、木材の腐朽時には、支持フレーム２の係合片の操作により容易にこれを交換することが可能である。このため、あえて木材に高価な防腐薬剤を注入して耐久性を向上させる必要がなく、薬剤が水質に与える影響を心配する必要がない。
【００６１】
強化ネット７４は、土留フレーム７ｃの前面部および底面部に接続している。強化ネット７４は、その自由な箇所において、連結材により控えネット７６と連結可能である。例えば、図１５に示す前面部および底面部において、互いのネット７４，７６の一部を重ね、図１６に示すように、各ネット７４，７６の重複した列孔に連結材７７を交互に通過させることにより、補強盛土工法の支持フレーム（前面枠体）として使用することができる。この支持フレームを上段に積み重ねることにより、補強盛土壁とすることができる。
【００６２】
土留フレーム７ｃは、ストッパ７１を取り外せば強化ネット７４を接続したままで、木材パネルの支持フレーム２の背面に折り畳みが可能であり、畳んだ状態での運搬も容易に可能となる。なお、図１７は、強化ネットを省略した、フレーム７ａを折り畳んだ状態の斜視図である。
【００６３】
次に、本実施の形態の土留部材の作用、効果について説明する。
土留部材７を適用することにより、木材１１が腐朽しても背面土砂の流出がないため、木材使用による安全性確保の課題から解放され、従来より使用が控えられていた人家周辺また道路法面の土留構造物においても木材を使用することが可能となる。
【００６４】
また、木材の腐朽が構造物に影響を与えないため、木材に高価な防腐薬剤を注入して耐用年数を高める必要がなく、水中および水際で護岸構造物として使用する場合に、薬剤の影響を考慮することなく木材を使用することが可能となる。
【００６５】
さらに、木材部と土留部との間に空間を与えているため、木材が直接、背面土砂に接せず、木材の耐久性が向上する効果があるとともに、特に水中に使用した場合には、この空間が小動物の隠れ家等になり得るため、環境に配慮した資材および護岸工法が提供できる。
【００６６】
従来の木材を使用した土留構造物においては木材が腐朽し、背面土砂の流出が懸念される時には、再工事とこれに伴う費用が必要であった。これに対し、木材パネル１を使用した土留部材７においては、木材部１が容易に脱着可能であり、木材の腐朽時に木材部のみの交換で更新が可能となる。支持フレームおよび強化ネットの耐用年数までこの更新を繰り返すことにより、従来製品に比して施工性、維持管理の効率性が大幅に向上し、非常に優れた対費用効果を生ずる。
【００６７】
図１８および図１９は、本発明の第９の実施の形態を示している。
土留部材を現地に適用する場合、背後部の重複を伴う内カーブ曲線部における対策が必要となる。本実施の形態では、図１８に示すように、支持フレーム７ｂは、正面右側の縦柱材２４、脚材７２およびストッパ７１を中央部に寄せてある。これにより、右側端部に空間を与えてある。さらに、板材７３の右側を脚材７２の外側に延長させてある。なお、図１８では、木材部および強化ネットを省略して記載してある。
【００６８】
図１９に示す曲線区間における平面図で説明すると、支持フレーム７ｂにおいて、正面右側端部と脚材７２ａとの空間距離７９だけ、右側に隣接する支持フレーム７ｂの左背後部を内側に配することができる。さらに、右側に隣接する支持フレーム７ｂの左側の脚材７２を、左側に隣接する支持フレーム７ｂの板材７３の上に載せることで、右側に隣接する支持フレーム７ｂの背面土砂を含めた重量が左側に隣接する支持フレーム７ｂの上に加わり、その自立安定性を高めることができる。なお、隣接の左右の支持フレーム７ｂは、互いの縦柱材２４および脚材７２ａを長ボルト７８等で固定することが望ましい。
【００６９】
図２０は、本発明の第１０の実施の形態を示している。
図２０は、切土法面または比較的高さを要しない高さ約３ｍ前後の盛土法面に適用する場合に、積み重ねを容易にするものである。なお、図２０では、木材部および強化ネットを省略して記載してある。
【００７０】
土留部材７を単独に積み重ねた場合、背面土圧の安全計算上、転倒または滑動のおそれが生じることがある。そのような場合、支持フレーム７ａの背面に溶接金網または格子状の鉄網類８０を配置し、両先端部をフック状に加工した鉄筋棒８１により支持フレーム７ａと鉄網類８０とを連結する。これにより、断面形状が略Ｌ型であった土留部材７ａを箱型のカゴ状とする。中詰土砂７５を転圧すれば、支持フレーム７ａは、積み重ねが可能となる。
【００７１】
【発明の効果】
本発明に係る木材パネル、土留部材および木材固定工法によれば、景観上の木材が腐朽しても背面土砂が流出するのを防ぐことができ、さらに、腐朽した木材を複数本単位で容易に交換可能である。
【００７２】
本発明に係る木材パネル、土留部材および木材固定工法によれば、木材または竹材等の天然素材を使用しているため、現在重要視されている環境に配慮したものであり、特に、人目に触れる箇所においては優れた景観をもたらす効果がある。また、道路法面においては、雑草の刈払いの手間が省け、視距確保を兼ねた景観工法となる。
【００７３】
さらに、木材に間伐材を使用することにより、全国の山村共通の課題である間伐を推進させる効果が生じる。使用する木材には、あえて防腐処理を行う必要がないため、比較的早いサイクルで腐朽材を交換することにより、再度の間伐材の需要を生ずる効果がある。
【図面の簡単な説明】
【図１】本発明の第１の実施の形態の木材パネルを使用した土留部材を示す斜視図である。
【図２】図１に示す土留部材の木材パネルの分解斜視図である。
【図３】図２に示す木材パネルの縦断面図である。
【図４】図２に示す木材パネルの上側支持部材への取付部周辺を示す斜視図である。
【図５】本発明の第２の実施の形態の木材パネルを示す分解斜視図である。
【図６】図５に示す木材パネルの縦断面図である。
【図７】本発明の第３の実施の形態の木材パネルによる緩斜面での木材固定工法を示す断面図である。
【図８】本発明の第４の実施の形態の木材パネルによるコンクリート構造物における木材固定工法を示す斜視図である。
【図９】本発明の第５の実施の形態の木材パネルによる鋼製土留構造物における木材固定工法を示す斜視図である。
【図１０】本発明の第６の実施の形態の木材パネルによる補強盛土工法の前面枠体における木材固定工法を示す斜視図である。
【図１１】本発明の第７の実施の形態の、複数の木材パネルを上下方向に配置した補強盛土工法の前面枠における木材固定工法を示す断面図である。
【図１２】本発明の第８の実施の形態の木材パネルを使用した土留部材の分解斜視図である。
【図１３】図１２に示す土留部材の木材部を省略した状態の斜視図である。
【図１４】図１２に示す土留部材の断面図である。
【図１５】図１２に示す土留部材の土留用強化ネットと控えネットとの接続関係を示す斜視図である。
【図１６】図１５に示す土留用強化ネットと控えネットとの接続方法を示す斜視図である。
【図１７】図１２に示す土留部材の支持フレームを折り畳んだ状態を示す斜視図である。
【図１８】本発明の第９の実施の形態の土留部材の木材部を省略した状態の斜視図である。
【図１９】図１８に示す土留部材の曲線区間における連結状態を示す平面図である。
【図２０】本発明の第１０の実施の形態の、積み重ねを容易にした土留部材の支持フレームを示す斜視図である。
【符号の説明】
１  横型木材部
２  支持フレーム
３  横型木材パネル
４  縦型木材部
５  支持フレーム
６  縦型木材パネル
７  木材パネルを使用した土留部材
７a   フレーム
１２  長ボルト
２１  下側支持板
２２  上側支持板
２４  縦柱材
２５a   縦材
２５b   上側支持板
２５c   下側支持板
２７  ボルト孔
２８  上側支持板に付する所定の溝
２９  係合片
２９a   係合片に付する所定の溝
２９b   係合片に付する所定の孔
２９c   上側支持板に付する所定の孔
２９d   中空パイプ
２９e   ボルト
２９f   ナット
３６  コンクリートおよびブロック構造物
３７  コンクリートアンカー
３８  鋼製土留構造物
３９  固定ボルト
４０  補強盛土工法に使用される空間を有する前面支持フレーム
４１  固定プレート
７１  ストッパ
７２  脚材
７３  板材
７４  強化ネット
７６  控えネット
７７  ネット連結材
【図１】
0003610357.tif 000002
【図２】
0003610357.tif 000003
【図３】
0003610357.tif 000004
【図４】
0003610357.tif 000005
【図５】
0003610357.tif 000006
【図６】
0003610357.tif 000007
【図７】
0003610357.tif 000008
【図８】
0003610357.tif 000009
【図９】
0003610357.tif 000010
【図１０】
0003610357.tif 000011
【図１１】
0003610357.tif 000012
【図１２】
0003610357.tif 000013
【図１３】
0003610357.tif 000014
【図１４】
0003610357.tif 000015
【図１５】
0003610357.tif 000016
【図１６】
0003610357.tif 000017
【図１７】
0003610357.tif 000018
【図１８】
0003610357.tif 000019
【図１９】
0003610357.tif 000020
【図２０】
0003610357.tif 000021